(57)【要約】【課題】  簡易な構成でリアフックを容易に交換することができ、リアフックのずれを防止することができる釣り具を提供する。【解決手段】  ヘッド部材であるジグヘッド１０と、ジグヘッド１０から後方へ延び出したフロントフック１３とを備えたワインドヘッド１であって、フロントフック１３の軸と平行に後方へ延び出した線材である接続管１４と、接続管１４を折り返して形成される、フロントフック１３の後方に第２の釣り針であるリアフック２０を取り付けるための空間であるリアフック接続部１５と、リアフック接続部１５の先の折り返し後の空間を狭めて形成され、リアフック接続部１５に取り付けられたリアフック２０の抜け落ちを防ぐ抜け落ち防止部１７とを備える。【選択図】図２
0003217329.tif 000002
【実用新案登録請求の範囲】
【請求項１】
ヘッド部材と、ヘッド部材から後方へ延び出した釣り針とを備えた釣り具であって、
前記釣り針の軸と平行に後方へ延び出した線材である接続管と、
前記接続管を折り返して形成される、前記釣り針の後方に第２の釣り針を取り付けるための空間であるリアフック接続部と、
前記リアフック接続部の先の折り返し後の空間を狭めて形成され、前記リアフック接続部に取り付けられた第２の釣り針の抜け落ちを防ぐ抜け落ち防止部とを備える
ことを特徴とする釣り具。
【請求項２】
さらに、抜け落ち防止部の先の接続管の先端を上方に屈曲させて形成され、釣り具に取り付けられる餌又は疑似餌を保持するエサ止め部を備える
ことを特徴とする請求項１記載の釣り具。
【請求項３】
前記リアフック接続部は、段階的に屈曲させてクランク状に形成されている
ことを特徴とする請求項１又は２に記載の釣り具。
【請求項４】
前記リアフック接続部は、前記釣り針の軸に固定されている
ことを特徴とする請求項１〜３のいずれか１項に記載の釣り具。
【考案の詳細な説明】
【技術分野】
【０００１】
本考案は、ルアーフィッシングに用いられるジグヘッドや太刀魚釣りに用いられるテンヤ等の釣り具に関する。
【背景技術】
【０００２】
ルアーフィッシングではジグヘッド（例えば矢じり型）にワームを装着して用いるワインドヘッドが使用されることがある。また、太刀魚釣りでは、錘と釣り針とを一体化したテンヤが使用されることもある。ワインドヘッドやテンヤについては、種々の提案がなされており、例えば、特許文献１では、釣り針の軸部と餌魚とに巻き付けた線材の軸部への巻き位置が軸部の軸線方向にずれるのを抑制し得る魚釣りの仕掛け、及び、魚釣りの仕掛けに用いられる巻きずれ抑制具が開示されている。
【０００３】
図６は、従来のワインドヘッドの構成を示す図である。ワインドヘッド９０は、鉛等の金属で矢じり型に形成されたヘッド部分のジグヘッド９１と、ジグヘッド９１の上部に設けられハリスを接続するための環９２と、ジグヘッド９１の下部に設けられるフロントフック９３とを備えている。ワーム９７はジグヘッド９１の後方に取り付けられ、ワームキーパー等でワームの頭部が保持され、フロントフック９３はトリプルフック等の複数の針を有しており、そのうちの１つの針がワーム止め９４でワーム９７の胴部が保持される。ワインドヘッド９０は、フロントフック９３の後方にさらにリアフック９５を取り付けて用いる場合がある。ここでは、ワーム止め９４として使用する針の軸にダブルフックのリアフック９５を取り付け、シリコンゴム等のチューブで構成されるリアフック止め９６で接続部分を被覆してリアフック９５がずれるのを防止する例を示している。
【先行技術文献】
【特許文献】
【０００４】
【特許文献１】特開２０１８−３８３２０号公報
【考案の概要】
【考案が解決しようとする課題】
【０００５】
しかしながら、上記従来のワインドヘッドや従来のテンヤでは、リアフックを取り付けた後、対象魚の活性状況やワームや餌の大きさ等に応じてリアフックを針が１本のシングルフックやトリプルフックへ変更したい場合や、取り付けていたリアフックを取り外したい場合でも、針のカエシがあるため取り外しが容易ではないという問題がある。
【０００６】
また、リアフック止めを用いても、取り付けた針の軸の間ではリアフックが動いてずれてしまうことがあり、針掛かりが悪くなる等の問題もある。
【０００７】
そこで、本考案は、このような問題に鑑みなされたものであり、簡易な構成でリアフックを容易に交換することができ、リアフックのずれを防止することができ、かつ、ワームや餌の保持も兼ね備えた釣り具を提供することを目的とする。
【課題を解決するための手段】
【０００８】
上記課題を解決するために、本考案に係る釣り具は、ヘッド部材と、ヘッド部材から後方へ延び出した釣り針とを備えた釣り具であって、前記釣り針の軸と平行に後方へ延び出した線材である接続管と、前記接続管を折り返して形成される、前記釣り針の後方に第２の釣り針を取り付けるための空間であるリアフック接続部と、前記リアフック接続部の先の折り返し後の空間を狭めて形成され、前記リアフック接続部に取り付けられた第２の釣り針の抜け落ちを防ぐ抜け落ち防止部とを備えることを特徴とする。
【０００９】
これによれば、ヘッド部材からフロントフックの軸と第２の釣り針であるリアフックを接続するための接続管とをそれぞれ平行に延出させ、接続管を屈曲させて折り返すことによりリアフックを取り付けるためのリアフック接続部を形成しているので、接続管の先端からリアフックを挿通することができ、簡易な構成でリアフックを容易に交換することができる釣り具が実現される。
【００１０】
ここで、さらに、抜け落ち防止部の先の接続管の先端を上方に屈曲させて形成され、釣り具に取り付けられる餌又は疑似餌を保持するエサ止め部を備えるのが好ましい。
【００１１】
これによれば、餌やワーム等のルアー（疑似餌）を支持しワーム等の姿勢を保持し、脱落を防止することができる。
【００１２】
また、前記リアフック接続部は、段階的に屈曲させてクランク状に形成されているとしてもよく、前記リアフック接続部は、前記釣り針の軸に固定されているとしてもよい。
【考案の効果】
【００１３】
以上のように、本考案に係る釣り具によれば、ヘッド部材からフロントフックの軸とリアフックを接続するための接続管とをそれぞれ平行に延出させ、接続管を屈曲させ折り返すという簡易な構成でリアフックを取り付けるためのリアフック接続部を形成するので、接続管の先端からリアフックを挿通することができ、リアフックを容易に交換することが可能となる。また、リアフックがずれることを防止し、かつ、ワームや餌の姿勢を保持することができる。
【図面の簡単な説明】
【００１４】
【図１】本考案の実施形態のワインドヘッドの構成を示す図である。
【図２】ワインドヘッドにワームを取り付けた状態を示す図である。
【図３】リアフック接続部の別の例を示す図である。
【図４】変形例の太刀魚テンヤの構成を示す図である。
【図５】太刀魚テンヤに餌を付けた状態を示す図である。
【図６】従来のワインドヘッドの構成を示す図である。
【考案を実施するための形態】
【００１５】
以下、本考案の実施形態についてワインドヘッドを例に図面を参照しながら説明する。
【００１６】
図１は、本考案の実施形態のワインドヘッドの構成を示す図であり、図２はルアーのワームを取り付けた状態を示す図である。
【００１７】
ワインドヘッド１は、ジグヘッドにワーム等のルアー（疑似餌）を装着してルアーフィッシングに用いる釣り具であり、鉛等の金属で形成されたヘッド部分のジグヘッド１０と、ジグヘッド１０の上部に設けられハリスを接続するための環１１とを備えている。ジグヘッドは、矢じり型に形成され（その他の形状であってもよい。）、ジグヘッド１０のヘッド後部からはワームキーパー１２が後方に向けて延出しており、ワームキーパー１２にワーム５の頭部を突き刺すことによりワーム５をジグヘッド１０に取り付ける。ジグヘッド１０の下部にもダブルフックのフロントフック１３と、リアフック２０を接続するための管である接続管１４とが、ワームキーパー１２と平行して後方に向けて延出している。
【００１８】
接続管１４は、フロントフック１３とともにジグヘッド１０の下部から後方に向けて延出している金属製の線材であり、途中で屈曲させて折り返すことによりリアフック２０が取付可能な空間であるリアフック接続部１５が形成されている。リアフック接続部１５が形成された先の接続管１４は、挿通されたリアフック２０が抜け落ちないように折り返し後の空間が狭められ抜け落ち防止部１７が形成されている。さらに、接続管１４のリアフック接続部１５の先の折り返された側の先端は、上方に向けて屈曲されてワーム止め１６となって、ワーム５の胴部を支持しワーム５の姿勢を保持し、脱落を防止するために用いられる。
【００１９】
リアフック２０は、フロントフック１３の後方に位置する第２の釣り針であり、ワーム止め１６側の先端からリアフック２０のチモトにある環を接続管１４に挿通してリアフック接続部１５に取り付けられる。その後、シリコンゴム等のチューブで構成されるリアフック止め２１でリアフック接続部１５を被覆することによりリアフック２０のずれを防止する。なお、リアフック止め２１は、使用時にリアフック２０の針先から挿通させることも可能であるが、接続管１４に挿通する前に予めチモト側からリアフック２０の軸に挿通しておくと針先を通過させずに済むので好ましい。
【００２０】
このように、本考案の実施形態のワインドヘッドによれば、ヘッド部分のジグヘッドの下部からフロントフックの軸とリアフックを接続するための接続管とをそれぞれ平行に延出させ、接続管を屈曲させて折り返すことによりリアフックを取り付けるためのリアフック接続部を形成しているので、接続管の先端からリアフックを交換可能に挿通することができ、簡易な構成でリアフックを容易に交換することができる。その結果、対象魚の活性状況や取り付けるワームのサイズ、釣り人の意図に応じて、リアフックをシングルフックや２本の釣り針のダブルフックや３本の釣り針のトリプルフックなどへ容易に変更することができ、また、リアフックを外して１段フックとすることも容易に可能である。例えば、ワームが長い場合はリアフックを取り付けて２段フックとし、ワームが短い場合や当日の対象魚の活性が低くフックを嫌う状況であれば１段フックにすることで、釣果の向上が期待される。また、取り付けられたリアフックはリアフック接続部においてリアフック止めで動きを規制されるので、リアフックのずれを防止することができる。
【００２１】
なお、リアフック接続部は別の構成としてもよい。図３は、リアフック接続部の別の例を示す図である。
【００２２】
図３に示すワインドヘッド２は、接続管１４を段階的に屈曲させてクランク状にして、抜け落ち防止部１７とリアフック接続部１８とを形成したものである。接続管１４を段階的に屈曲させてクランク状にして、リアフック２０をより抜け落ちにくくすることができる。
【００２３】
続いて、本実施形態の変形例を説明する。
【００２４】
図４は変形例の太刀魚テンヤの構成を示す図であり、図５は太刀魚テンヤに餌を付けた状態を示す図である。
【００２５】
太刀魚テンヤ３は、錘３０とシングルフックの釣り針３３とが一体化されて構成されている。錘３０は、魚頭形状（その他の形状であってもよい。）に構成されたヘッド部材であり、鉛等の金属によって構成され、錘としても機能し、ハリスを接続するための環３１も設けられている。ヘッド部材である錘３０が位置する側が太刀魚テンヤ３の先端であり、錘３０から後方へ釣り針３３が延び出している。釣り針３３と同様に、餌の頭部に突き刺して餌の頭部を保持する止め針である頭部エサ止め３２も錘３０から後方へ延び出している。なお、胴体側のエサ止めを２本とする場合は、頭部エサ止め３２を設けないこともある。
【００２６】
釣り針３３の軸には、リアフック２０を取り付けるための接続管３４が取り付けられている。接続管３４は、釣り針３３の軸から後方に向けて延出している金属製の線材であり、途中で屈曲させて折り返すことによりリアフック接続部３５が形成されている。リアフック接続部３５が形成された先の接続管３４は、挿通されたリアフック２０が抜け落ちないように抜け落ち防止部３６が形成されている。さらに、接続管３４のリアフック接続部３５の先の折り返された側の先端は、上方に向けて屈曲されてエサ止め３７となって、餌６の胴部に突き刺して餌６を支持し餌６の姿勢を保持するために用いられる。接続管３４の他方の先端、すなわち、エサ止め３７の反対側の先端も上方に屈曲されてエサ止め３８となって、餌６の胴部に突き刺して餌６を固定するために用いられる。なお、頭部エサ止め３２と胴体側のエサ止め３７の２本がある場合は、必ずしもエサ止め３８を設けなくてもよい。
【００２７】
接続管３４は、接続管固定部３９によって釣り針３３の軸に固定されている。接続管固定部３９は、ハンダ留め等の固定手段により接続管３４を釣り針３３の軸に固定したものである。太刀魚テンヤ３は、錘３０の後端付近に餌の頭部を配置して、頭部エサ止め３２に餌６の頭部を突き刺し、エサ止め３７およびエサ止め３８の上から餌６の胴体部分を押し刺してワイヤー線等で巻いて餌６を固定して使用する。
【００２８】
このように、太刀魚テンヤ３においても、リアフック２０を容易に交換することができ、餌６がキビナゴ等のように短い場合は、リアフック２０を取り外した１段フックとし、餌６がイワシ等のように長い場合はリアフック２０を取り付けた２段フックとする等、対象魚の活性状況や取り付ける餌６のサイズ、釣り人の意図に応じてリアフック２０を取り付けたり、取り外したり、シングルフックとしたり、ダブルフックやトリプルフックにしたり調整することができる。
【００２９】
以上、本考案に係る釣り具について、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００３０】
例えば、上記実施の形態では、ワインドヘッドのフロントフックとしてダブルフックを図示したが、１本のシングルフックでもおよいし、フロントフックと平行して接続管を延伸することができれば３本の釣り針のトリプルフックであってよい。同様に、太刀魚テンヤのフロントフックとしてシングルフックを図示したが、フロントフックの軸から後方に向けて接続管を延伸することができれば２本の釣り針のダブルフックでも３本の釣り針のトリプルフックであってよい。
【００３１】
また、インサート成型によりジグヘッドや錘のヘッド部材にフロントフックおよび接続管の先端を埋め込んで構成してもよいし、変形例で示したようにフロントフックの軸に接続管を固定する構成であってもよい。
【００３２】
さらに、ワインドヘッドと太刀魚テンヤを例に挙げて説明したが、錘に相当するヘッド部材と釣り針という組み合わせで構成されるものであれば、これらに限られるものではなく、他のジグヘッドや真鯛テンヤ、鯛カブラ等でも適用可能である。
【産業上の利用可能性】
【００３３】
本考案は、ルアーフィッシングに用いられるワインドヘッドや太刀魚釣りや真鯛釣りに用いられるテンヤや鯛カブラ等に適用可能である。
【符号の説明】
【００３４】
１，２，９０  ワインドヘッド
３  太刀魚テンヤ
５，９７  ワーム
６  餌
１０，９１  ジグヘッド
１１，３１，９２  環
１２  ワームキーパー
１３，９３  フロントフック
１４,３４  接続管
１５，１８，１９，３５，９４  リアフック接続部
１６，９４  ワーム止め
１７，３６  抜け落ち防止部
２０，９５  リアフック
２１，９６  リアフック止め
３０  錘
３２  頭部エサ止め
３３  釣り針
３７，３８  エサ止め
３９  接続管固定部
【図１】
0003217329.tif 000003
【図２】
0003217329.tif 000004
【図３】
0003217329.tif 000005
【図４】
0003217329.tif 000006
【図５】
0003217329.tif 000007
【図６】
0003217329.tif 000008